(57)【要約】【課題】  ポンプから圧力スイッチ部に伝わる振動を低減することにより、耐久性の向上を図る。【解決手段】  圧力スイッチ９０を、弾性を有する耐圧ホース９１（第１減衰手段）を介してポンプユニット２６に接続するとともに、圧力スイッチ９０の周囲を緩衝部材９２（第２減衰手段）で包囲して洗浄機本体２５の内部に収容する。さらに、ポンプユニット２６は、減衰部材６８，６９，７０（第３減衰手段）を介して洗浄機本体２５と接続する。圧力検出器がホース９１を介してポンプユニット２６に接続されることにより、ポンプユニット２６で発生した振動の圧力検出器への伝達を低減し、圧力検出器の耐久性の向上を図ることができる。【選択図】図３
2020097900.tif 000002
【特許請求の範囲】
【請求項１】
本体と、前記本体に収容されるポンプと、
前記ポンプによって洗浄液が吐出口から吐出される液体吐出装置であって、   
前記ポンプと前記吐出口とを連通する流路と、
前記流路を通過する洗浄液の圧力を受ける受圧部を備え、前記受圧部が受けた圧力に基づく信号を制御部に送信する圧力検出器と、を有し、
前記圧力検出器が第１減衰手段を介して前記ポンプに接続される、ことを特徴とする液体吐出装置。
【請求項２】
前記第１減衰手段は、前記圧力検出器と前記ポンプとの間に介在する第１弾性部材である、ことを特徴とする請求項１に記載の液体吐出装置。
【請求項３】
前記圧力検出器は、洗浄液が通過可能な管部材により接続され、
前記管部材の少なくとも一部は弾性を有し、前記第１弾性部材を構成する、ことを特徴とする請求項１又は２に記載の液体吐出装置。
【請求項４】
前記圧力検出器と前記ポンプとの間に前記洗浄液のピーク圧力を抑制する圧力抑制手段を更に備える、ことを特徴とする請求項１乃至請求項３の何れか一項に記載の液体吐出装置。
【請求項５】
前記第１減衰手段は、前記圧力抑制手段として作用する、ことを特徴とする請求項４に記載の液体吐出装置。
【請求項６】
前記圧力検出器は、前記流路を通過する洗浄液を分岐させた経路の先に設けられ、
前記第１減衰手段は、前記分岐部と前記圧力検出器との間に介在する、ことを特徴とする請求項１乃至請求項５の何れか一項に記載の液体吐出装置。
【請求項７】
前記圧力検出器は、前記流路を通過する洗浄液を分岐させた経路の先に設けられ、
前記第１減衰手段は、前記ポンプと前記分岐部との間に介在する、ことを特徴とする請求項１乃至請求項５の何れか一項に記載の液体吐出装置。
【請求項８】
前記圧力検出器は、第２減衰手段を介して前記本体に支持される、ことを特徴とする請求項１乃至請求項７の何れか一項に記載の液体吐出装置。
【請求項９】
前記第２減衰手段は、前記圧力検出器と前記本体との間に介在する第２弾性部材である、ことを特徴とする請求項８に記載の液体吐出装置。
【請求項１０】
前記本体は、少なくとも一方向への前記圧力検出器と前記本体との相対移動を規制することで前記圧力検出器を支持する支持手段を備える、請求項１乃至請求項９の何れか一項に記載の液体吐出装置。
【請求項１１】
前記支持手段は、前記圧力検出器以外の前記本体への固定を含む、ことを特徴とする請求項１０に記載の液体吐出装置。
【請求項１２】
前記ポンプは、第３減衰手段を介して前記本体に支持される、ことを特徴とする請求項１乃至請求項１１の何れか一項に記載の液体吐出装置。
【請求項１３】
前記本体に着脱可能な電池を備え、前記ポンプは、前記電池を動力源として駆動する、ことを特徴とする請求項１乃至請求項１２の何れか一項に記載の液体吐出装置。
【請求項１４】
前記ポンプは、ブラシレスモータを備え、前記制御部は、前記ブラシレスモータの駆動を制御する、ことを特徴とする請求項１乃至請求項１３の何れか一項に記載の液体吐出装置。
【請求項１５】
本体と、前記本体に収容されるポンプと、
前記ポンプによって洗浄液が吐出口から吐出される高圧洗浄機であって、   
前記ポンプと前記吐出口とを連通する流路と、
前記流路を通過する洗浄液の圧力を検出する圧力検出器と、を有し、
前記圧力検出器が、前記洗浄液のピーク圧力を抑制する圧力抑制手段を介して前記ポンプに接続される、ことを特徴とする液体吐出装置。
【発明の詳細な説明】
【技術分野】
【０００１】
本発明は、液体を吐出するポンプを備えた液体吐出装置に関する。
【背景技術】
【０００２】
従来、液体を吐出するポンプを備えた液体吐出装置が知られており、その液体吐出装置が特許文献１に記載されている。特許文献１に記載された液体吐出装置は、液体を対象物に吹き付けて対象物を洗浄する高圧洗浄機である。この高圧洗浄機は、装置本体と、装置本体の上に載せられて洗浄液を貯めるタンクと、装置本体に設けられたポンプと、を有する。また、ポンプから吐出された洗浄液を対象物に向けて噴射する洗浄ガンが設けられている。
【０００３】
ポンプは、動作部材としてのプランジャと、タンクに接続された吸入流路と、吸入流路に接続された吐出流路と、を備えている。吐出流路は、ホースを介して洗浄ガンに接続されている。さらに、ポンプは、吸入流路及び吐出流路に接続される圧力室を備え、圧力室と吸入流路との間に第１の一方向弁が設けられている。また、圧力室と吐出流路との間に第２の一方向弁が設けられている。プランジャを往復動作可能に支持するシリンダが設けられており、電動モータの動力をプランジャに伝達するクランクシャフトが設けられている。
【０００４】
特許文献１に記載された高圧洗浄機は、電動モータの動力でプランジャが往復運動すると、タンクの洗浄液が吸入流路を介して圧力室に吸入され、かつ、圧力室から吐出される。圧力室から吐出された洗浄液は、吐出流路、ホースを介して洗浄ガンに供給され、洗浄ガンは洗浄液をノズルから噴射する。
【先行技術文献】
【特許文献】
【０００５】
【特許文献１】特開２０１３−２０８５２６号公報
【発明の概要】
【発明が解決しようとする課題】
【０００６】
しかし、特許文献１に記載された液体吐出装置は、プランジャの往復動などによりポンプ部が振動し、この振動がポンプ部に具備された圧力検出器に不具合を生じさせる可能性があった。
【課題を解決するための手段】
【０００７】
本体と、本体に収容されるポンプと、ポンプによって洗浄液が吐出口から吐出される液体吐出装置であって、ポンプと吐出口とを連通する流路と、流路を通過する洗浄液の圧力を受ける受圧部を備え、受圧部が受けた圧力に基づく信号を制御部に送信する圧力検出器と、を有し、圧力検出器が第１減衰手段を介して前記ポンプに接続されるようにする。
【０００８】
また、本体と、本体に収容されるポンプと、ポンプによって洗浄液が吐出口から吐出される高圧洗浄機であって、ポンプと吐出口とを連通する流路と、流路を通過する洗浄液の圧力を検出する圧力検出器と、を有し、圧力検出器が、洗浄液のピーク圧力を抑制する圧力抑制手段を介してポンプに接続されるようにする。
【発明の効果】
【０００９】
本発明によれば、液体吐出装置において、ポンプで発生した振動の圧力検出器への伝達を低減し、圧力検出器の耐久性の向上を図ることができる。
【図面の簡単な説明】
【００１０】
【図１】本発明の液体吐出装置の実施形態である高圧洗浄機を示す斜視図である。
【図２】本発明の液体吐出装置の実施形態である高圧洗浄機を示す模式図である。
【図３】図１に示す高圧洗浄機の縦断面図である。
【図４】図１に示す高圧洗浄機の一部を破断した底面図である。
【図５】本発明の高圧洗浄機のポンプユニットと圧力スイッチを示す図である。
【図６】本発明の別の実施形態としての高圧洗浄機の縦断面図である。
【発明を実施するための形態】
【００１１】
以下、本発明の液体吐出装置を高圧洗浄機に適用した実施形態について、図面を参照しながら詳細に説明する。図１は、本実施形態に係る高圧洗浄機１０の外観斜視図、図２は模式図である。本実施形態に係る高圧洗浄機１０は、洗浄機本体２５と、洗浄機本体２５内に設けられたポンプユニット２６と、洗浄機本体２５内に設けられた電池パック２７とを有する。ポンプユニット２６は、ホース１２を介して洗浄ガン１３に接続される。洗浄ガン１３は、ポンプユニット２６から吐出された液体としての洗浄液を、噴射する噴射装置である。
【００１２】
洗浄液としては、水、または界面活性剤を含む水を用いることが可能である。ホース１２の第１端部は洗浄ガン１３に接続され、ホース１２の第２端部はポンプユニット２６の吐出流路６１に着脱可能に接続される。ホース１２は、洗浄液の圧力に耐えられる剛性を備えた耐圧ホースである。一方で、ホース１２は、ポンプユニット２６の吐出圧力によって変形（膨張）可能な程度の弾性を備えて構成される。洗浄ガン１３は、ガン本体１４と、ガン本体１４に取り付けられた噴射ノズル１５と、ガン本体１４内に設けられた流路１４aと、流路１４aに設けたバルブ１４bと、バルブ１４bを開閉するトリガ１６と、を備えている。
【００１３】
洗浄機本体２５にタンク１７が搭載されている。タンク１７は合成樹脂により一体成形されており、タンク１７の注入口１８はキャップ１９により閉じられている。タンク１７の外壁２０に係止突起２１が設けられている。タンク１７の底部に排出口２３が設けられ、排出口２３を開閉する逆止弁２４が設けられている。タンク１７内の洗浄液は、逆止弁２４が閉じられている場合にタンク１７内に保持される。これに対して、タンク１７内の洗浄液は、逆止弁２４が開かれると排出口２３から排出される。
【００１４】
洗浄機本体２５は、底板２８及び天板２９と、底板２８と天板２９とを接続する壁板３０と、を有する。天板２９に連続して支持壁３１が設けられ、支持壁３１により取り囲まれた凹部３２にタンク１７が載せられている。支持壁３１にバックル３３が取り付けられており、バックル３３を係止突起２１に掛けると、タンク１７が洗浄機本体２５に固定される。バックル３３を係止突起２１から外すと、タンク１７と洗浄機本体２５とを分離することができる。
【００１５】
電池パック２７は、収容ケース内に電池セルを複数収容したものである。電池セルは、充電及び放電を繰り返し行える二次電池、例えば、リチウムイオン電池を含む。電池パック２７は、電池パック装着部７７に着脱可能に装着される。電池パック装着部７７は、洗浄機本体２５のハウジングに別体部品として固定されており、電池パック２７を受け入れる図示しないレール部と、図示しない端子部とをそれぞれ備える。
【００１６】
ポンプユニット２６は、電動モータ３４及びポンプ３５を備えている。電動モータ３４は、モータケース内に設けられており、軸線Ａ１を中心として回転可能に支持されている。電動モータ３４は、ブラシレスモータであり、モータケース３７内に固定された図示しないステータと、ロータを備える。電動モータ３４のステータは、Ｕ相、Ｖ相、Ｗ相に対応する３本のコイルＵ１、Ｖ１、Ｗ１を備えている。
【００１７】
制御部７６は、電池パック２７からコイルＵ１、Ｖ１、Ｗ１に供給する駆動電流を制御するためのインバータ回路を有する。インバータ回路は、図示しないスイッチング素子を、個々に制御可能に有している。制御部７６には、メインスイッチ７４と、入力された信号に基づいてスイッチング素子の制御を変更することで電動モータ３４の回転数を制御し、吐出圧力を変更可能とする噴射圧調整ダイヤル７５が接続される。また、制御部７６は、後述する圧力スイッチ９０と配線９０ａを用いて接続されている。
【００１８】
図３乃至図５に示すように、ポンプ３５は、シリンダ５０と、シリンダ５０内に動作可能に設けられた１本のプランジャ５１を有する。シリンダ５０は、吸入流路５９と接続され、吸入流路５９が接続される供給管の他端部は、凹部３２に配置されている。供給管のうち、凹部３２に配置された箇所にノズル５６が取り付けられている。タンク１７が凹部３２に置かれると、ノズル５６により逆止弁２４が開かれ、タンク１７内の洗浄液がノズルの吸入流路５９へ排出される。吸入流路５９と圧力室６０との間に一方向弁６２が設けられ、圧力室６０と吐出流路６１との間に一方向弁６３が設けられている。吐出流路６１の一部にはホース９１の一端が接続され、ホース９１の他端には圧力検出器としての圧力スイッチ９０が接続されている。従って、圧力スイッチ９０は吐出流路６１の圧力を検知することができる。
【００１９】
電動モータ３４の出力は、駆動ギヤを介してクランクシャフト５４に伝達される。クランクシャフト５４は軸線Ｂ１を回転中心として軸受により支持されている。プランジャ５１は、コンロッド６４を介してクランクシャフト５４に連結されている。クランクシャフト５４及びコンロッド６４はクランク機構を構成しており、クランク機構は、電動モータ３４の回転力を、プランジャ５１の往復運動力に変換する。プランジャ５１は軸線Ｃ１に沿った方向に往復動可能であり、プランジャ５１が動作すると圧力室６０の圧力が上昇または低下する。シリンダ５０に吐出口６５が設けられ、吐出流路６１は吐出口６５に接続されている。吐出口６５にはホース１２が接続される。
【００２０】
洗浄機本体２５内に第３減衰手段としての３個の減衰部材６８，６９，７０が設けられている。３個の減衰部材６８，６９，７０は、弾性体、例えば、ゴム状弾性体またはエラストマーで一体成形され、ポンプユニット２６は、３個の減衰部材６８，６９，７０を介して洗浄機本体２５に支持されている。
【００２１】
減衰部材６８は、軸線Ａ１に沿った方向で、洗浄機本体２５とモータケース３７との間に配置されている。減衰部材６８は、軸線Ａ１に沿った方向で、洗浄機本体２５と電動モータ３４との間に配置されている。減衰部材６８は、軸線Ａ１に沿った方向で、洗浄機本体２５とポンプユニット２６との間に配置されている。
【００２２】
減衰部材６９は、軸線Ｂ１に沿った方向で、洗浄機本体２５とギヤケースとの間に配置されている。減衰部材６９は、軸線Ｂ１に沿った方向で、洗浄機本体２５とクランクシャフト５４及びコンロッド６４との間に配置されている。減衰部材６９は、軸線Ｂ１に沿った方向で、洗浄機本体２５とポンプユニット２６との間に配置されている。
【００２３】
減衰部材７０は、軸線Ｃ１に沿った方向で、洗浄機本体２５とポンプ３５との間に配置されている。減衰部材７０は、軸線Ｃ１に沿った方向で、洗浄機本体２５とポンプユニット２６との間に配置されている。なお、洗浄機本体２５にメインスイッチ７４が設けられている。減衰部材７０は、軸線Ｃ１と同軸にまたは同心状に配置されている。
【００２４】
圧力スイッチ９０は管部材及び第１減衰手段としてのホース９１を介してポンプユニット２６に接続されている。ホース９１は、耐圧性と弾性を有することが望ましく、例えば公知の軟質塩化ビニール、又はゴムホースにより構成される。ホース９１は、高圧に対して十分に耐えられる性能を有しながら、ポンプユニット２５によって上昇する洗浄液の圧力によって変形（膨張）可能であることが望ましい。また、ホース９１は、弾性を有し、全体として可撓性を備えることから、ホース９１を変形させた状態で圧力スイッチ９０を洗浄機本体２５の内部の任意の箇所に配置することができる。
【００２５】
ホース９１は、一端にねじ部が形成された金属製の継手を備え、ポンプユニット２６にねじ込むことで固定される。ホース９１の他端には、圧力スイッチ９０が接続されており、圧力スイッチ９０の受圧部９３と吐出流路６１がホース９１内の空間を介して連通されている。
【００２６】
本発明の高圧洗浄機１０で用いられる圧力スイッチ９０は、例えば、圧力により移動するダイヤフラムを備えたスイッチであり、流路内の流体の圧力が所定の値未満でオンとされ、所定の値以上になるとオフに切り替わる。詳細には、圧力スイッチ９０は、受圧部９３と、受圧部９３が受ける圧力に伴って移動するプランジャ９４を備え、プランジャ９４の動作に基づき内部の電気経路が切り替わり、配線９０ａを介して接続された制御部がこれを検知する構成とされている。圧力スイッチとしては、詳細な圧力値を検出できる方式のものを用いてもよく、その場合、制御部７６は、圧力値に基づいた細かな制御を行ってもよい。
【００２７】
圧力スイッチ９０は、周囲を第２減衰手段としての緩衝部材９２で包囲された状態で、洗浄機本体２５の内部に保持されている。緩衝部材９２は、所謂スポンジ等の多孔性の材料や、ゴム等の弾性材を用いることができる。換言すれば、圧力スイッチ９０は、緩衝部材９２を介して洗浄機本体２５に固定されている。洗浄機本体２５は、圧力スイッチ９０を、緩衝部材９２を圧縮した状態で保持する、圧力スイッチ保持手段を備えており、洗浄機本体２５の姿勢変化や振動によって保持から外れないようにされている。
【００２８】
また、圧力スイッチ９０は、洗浄機本体２５の天板２９のポンプユニット２６の収容室側に、圧力スイッチ９０の長手方向であって圧力検出の方向（圧力スイッチ内のプランジャの移動方向）が軸線Ｃ１に沿う方向となるよう配置されている。これによれば、圧力スイッチ９０は、圧力検出の方向と垂直方向の振動を抑えることができ、不具合の発生を抑えることができる。圧力スイッチ９０は、ポンプユニット２６の上方の空間に配置されており、ホース９１をポンプユニット２６から遠ざける方向に延伸させた後、屈曲させてポンプユニット２６側に延在させる構成としている。このため、ホース９１を十分に長くとることができ、振動の伝達や圧力の上昇を抑制することができる。
【００２９】
圧力スイッチ９０は、天板２９とポンプユニット２６により緩衝部材９２を介して挟み込まれることで固定されている。これによれば、ポンプユニット２６を組み立てる際に同時に圧力スイッチ９０の固定を行うことができるため、作業性が良い。圧力スイッチ９０の本体への固定は、これに限られず、例えば緩衝部材９２を天板２９に締結部材を用いて固定し、後から圧力スイッチ９０を挿入する構造や、天板２９にリブを設け、リブによって緩衝部材９２を挟み込む構成等、任意の手段を用いることができる。
【００３０】
圧力スイッチの配置においても、洗浄機本体２５内においてポンプユニット２６から遠ざかる位置としても良く、例えば図６に示す第二の実施形態のように、バッテリユニット２６と天板２９との間の空間に配置しても良い。このようにすれば、圧力スイッチ９０が、ポンプユニット２６から遠ざかる側の配置となることで、ポンプユニット２６の振動の影響を更に抑制させることが可能である。なお、この場合においては、本体への電池パック装着部７７の固定とともに、圧力スイッチ９０を挟み込んで固定する構造とすることで、組み立て時の作業性を向上させることができる。
【００３１】
作業者がメインスイッチ７４を操作すると、電池パック２７の電力が制御部７６にて制御されて電動モータ３４に供給され、ポンプ３５が駆動される。タンク１７内の洗浄液がポンプ３５に吸入され、ポンプ３５から吐出された洗浄液が、ホース１２を経由して洗浄ガン１３に供給される。ここで、吐出流路６１を通過する洗浄液は、分岐部９５で分岐してホース９１内を通過して圧力スイッチ９０にも到達し、その圧力が検出される。ホース９１内は、高圧洗浄機１０の駆動中、常に洗浄液で満たされている。吐出流路６１、ホース１２、洗浄ガン内の流路１４ａ、ホース９１及び圧力スイッチ９０は一連の流路で接続されており、内部が所定の圧力に達すると圧力スイッチ９０の動作により制御部７６からの電力供給が停止され、電動モータ３４が停止する。
【００３２】
そして、洗浄ガン１３のトリガ１６が操作されると、洗浄ガン１３に設けられたバルブ１４ｂが開き、洗浄液が噴射ノズル１５から噴射される。これに伴い、流路１４ａ、ホース１２、吐出流路６１の圧力が低下し、圧力スイッチ９０の動作により制御部７６からの電力が電動モータ３４に供給され、電動モータ３４が駆動する。これによりポンプ３５が洗浄液を吐出し、洗浄液が噴射ノズル１５から噴射される。
【００３３】
上述の動作によって噴射された洗浄液により、対象物、例えば、車両の汚れ、建物の外壁の汚れ、庭の汚れを除去することができる。
【００３４】
次に、ポンプユニット２６の動作を具体的に説明する。電動モータ３４に電力が供給されると、図示しないステータ及び永久磁石により回転磁界が形成され、ロータが回転する。ロータを構成する回転軸から出力される回転力は、図示しない駆動ギヤ及び従動ギヤを介してクランクシャフト５４に伝達され、プランジャ５１がシリンダ５０内で往復動する。クランクシャフト５４は、回転力を往復動力に変換する。プランジャ５１が図５で右向きに動作すると、圧力室６０内の圧力が低下し、一方向弁６２が開き、かつ、一方向弁６３が閉じられる。このため、タンク１７内の洗浄液は、吸入流路５９を経由して圧力室６０へ流入する。
【００３５】
これに対して、プランジャ５１が図５で左向きに動作して一方向弁６２及び一方向弁６３が閉じられていると、圧力室６０の圧力、つまり、洗浄液の圧力が上昇する。圧力室６０の圧力が所定値を超えると、一方向弁６３が開かれ、圧力室６０の洗浄液は吐出流路６１へ吐出される。吐出流路６１に吐出された洗浄液は、ホース１２を介して洗浄ガン１３へ供給される。高圧洗浄機１０は、電動モータ３４のロータが回転している間、上記の動作を繰り返す。
【００３６】
作業者が、洗浄機本体２５に設けられた噴射圧調整ダイヤルを操作すると、噴射ノズル１５から噴射される洗浄液の噴射圧を調整できる。電動モータ３４は、噴射圧が高く設定されるほど、回転数が高くなる。プランジャ５１は、電動モータ３４の回転数が高くなるほど、単位時間あたりにおける往復動作回数が増加する。
【００３７】
高圧洗浄機１０は、軸線Ｃ１と平行な平面視で、ポンプユニット２６が３個の減衰部材６８，６９，７０を介して洗浄機本体２５で支持されている。まず、シリンダ５０は、減衰部材７０を介して洗浄機本体２５で支持されている。このため、プランジャ５１が軸線Ｃ１に沿った方向に振動すると、減衰部材７０がスラスト荷重を受けて振動が減衰される。ポンプ３５の吐出圧が高くなると、プランジャ５１の動作回数が増加し、洗浄機本体２５に伝達される振動の振幅が増加するが、その振動の振幅が増加することを抑制できる。
【００３８】
また、減衰部材７０は、軸線Ｃ１と同心状に配置されているため、減衰部材７０がスラスト荷重を受ける面積を相対的に広くすることができる。したがって、減衰部材７０は有効に振動を減衰できるとともに、減衰部材７０に応力が集中することを抑制でき、減衰部材７０の破損を防止できる。
【００３９】
また、シリンダ５０は、減衰部材６９を介して洗浄機本体２５で支持されている。このため、減衰部材６９は、クランクシャフト５４が回転する際に、軸受を介してシリンダ５０に伝達されるラジアル荷重を受けて振動を減衰する。さらに、モータケース３７は、減衰部材６８を介して洗浄機本体２５で支持されている。このため、減衰部材６８は、ロータ３９が回転する際に、軸受を介してモータケース３７に伝達されるラジアル荷重を受けて振動を減衰する。
【００４０】
さらに、軸線Ｃ１と平行な底面視で、軸線Ｃ１を中心とする径方向で、ポンプ３５の両側に２個の減衰部材６８，６９が配置され、軸線Ｃ１上に減衰部材７０が配置されている。このため、ポンプユニット２６は、軸線Ｃ１に沿った方向の振動が減衰され、かつ、軸線Ａ１，Ｂ１に沿った方向においても、振動が減衰される。したがって、軸線Ｃ１と平行な底面視で、ポンプユニット２６は、洗浄機本体２５に対して全方向での振動が抑制される。
【００４１】
本発明の高圧洗浄機においては、圧力スイッチ９０を、弾性を有する耐圧ホース９１を介してポンプユニット２６に接続している。これにより、ポンプユニット２６の動作により発生した振動が圧力スイッチ９０へ伝達するのを低減することが可能となり、圧力スイッチ９０の耐久性を向上させることができる。
【００４２】
また、ホース９１は弾性を有しており、バルブ１４ｂが閉じられ内部の圧力が上昇した際にホース９１が膨張可能であるため、圧力スイッチ９０にかかる圧力の急上昇を緩和することができる。また、ホース１２についても弾性を有することで、圧力スイッチ９０にかかる圧力の上昇をさらに緩和することができる。
【００４３】
さらに、圧力スイッチ９０の周囲を緩衝部材９２で包囲して洗浄機本体２５の内部に収容することで、ポンプユニット２６から洗浄機本体２５を介して伝達される振動が圧力スイッチへ伝達されることや、洗浄機本体２５に加わる外部からの衝撃から、圧力スイッチ９０を保護することができる。上述の通り、ポンプユニット２６は、減衰部材６８，６９，７０を介して洗浄機本体２５と接続されており、これにより、ポンプユニット２６と圧力センサ９０との間には、第２減衰手段と第３減衰手段が介在することになるため、更なる圧力センサ９０の保護が可能となっている。本実施形態で説明した構成と、本発明の構成との対応関係を説明する。高圧洗浄機１０が本発明の液体吐出装置に相当し、洗浄機本体２５が本発明の装置本体に相当し、ポンプユニット２６が本発明のポンプに相当し、吐出口６５が本発明の吐出口に相当し、吐出流路６１が本発明のポンプと吐出口を連通する流路に相当する。
【００４４】
本発明において、軸線は物理的に存在しているわけではなく、工学上の想像線である。本発明において、直角は、略直角を含み、平行は、略平行を含む。本発明は前記実施の形態に限定されるものではなく、その要旨を逸脱しない範囲で種々変更可能である。例えば、本発明の液体吐出装置は、ポンプに吸入された液体を加圧して吐出する装置であり、本発明の液体吐出装置は、対象物の汚れを除去する高圧洗浄機の他、水を霧状にして畑に散布する噴霧装置、薬液を霧状にして、野菜または植木に散布して害虫を駆除する噴霧装置を含む。つまり、本発明において、ポンプから吐出される液体は、水、洗浄液、薬液を含む。
【００４５】
本発明において、電動モータに電力を供給する二次電池を備えている。すなわち、実施形態に係る洗浄機は携帯型である。二次電池は、リチウムイオン電池以外の電池、例えば、ニッケルカドミウム電池、ニッケル水素電池、リチウムイオンポリマー電池であってもよい。本発明の液体吐出装置は、二次電池および商用電源の双方から、電動モータに電力を供給可能な構造を含む。また、本発明の液体吐出装置は、商用電源のみから電動モータに電力を供給可能な構造を含む。
【００４６】
さらに、本発明の液体吐出装置は、タンク内の液体をポンプで吸入する構造の他、水道の蛇口から供給された水をポンプで吸い込む構造を含む。また、実施形態のポンプは、往復動作するプランジャを１つ備えているが、プランジャの往復動作によりケーシングで脈動が発生するポンプであれば、ポンプを小型化し、かつ、低振動を図ることができる。脈動とは、同じ振幅、同じ長さの振動が、周期的に繰り返されることである。
【００４７】
さらに、弾性材の硬度、つまり、ゴム弾性は全体として一定としてもよいし、異ならせることも可能である。例えば、振動時の荷重を受ける箇所の硬度を、その他の箇所の硬度よりも高くすることができる。このように、減衰部材の硬度を部分的に変更すれば、ポンプで発生する振動に対して、振動減衰機能を細かく調整することが可能であり、振動をさらに抑制する効果がある。
【００４８】
本発明において、ポンプを駆動する動力源としてのモータは、電動モータ、空気圧モータ、油圧モータ、エンジンを含む。さらに、本発明の動作部材としてのプランジャは、複数本、つまり、２本以上設けられていてもよい。さらに、モータの回転力を動作部材の往復動力に変換する動力変換機構は、クランク機構の他、カム機構を含む。
【００４９】
以上、本発明に係る高圧洗浄機の一実施形態について説明したが、本発明は前記実施形態に限定されるものではなく、特許請求の範囲に記載されている発明の思想を逸脱しない範囲で、設計において適宜変更できるものである。
【符号の説明】
【００５０】
１０…高圧洗浄機、２５…洗浄機本体、３４…電動モータ、３５…ポンプ、３７…モータケース、５０…シリンダ、５１…プランジャ、６８，６９，７０…減衰部材、９０…圧力スイッチ、９１…第一減衰部材、第二減衰部材…９２、Ａ１，Ｂ１，Ｃ１…軸線。
【図１】
2020097900.tif 000003
【図２】
2020097900.tif 000004
【図３】
2020097900.tif 000005
【図４】
2020097900.tif 000006
【図５】
2020097900.tif 000007
【図６】
2020097900.tif 000008